【手続補正書】
【提出日】平成26年3月27日(2014.3.27)
【手続補正１】
【補正対象書類名】明細書
【補正対象項目名】０００４
【補正方法】変更
【補正の内容】
【０００４】
上記の目的を実現するために、本発明のプレス曲げ加工ステーションは、予成形により上向きに凹んだ加熱ガラスシートを搬送方向に沿って搬送するためのコンベヤを含む。複数の長い支持手段が搬送方向に沿って延び、相互に横方向に離間されており、長い支持手段の少なくともいくつかは各々、連続的駆動部材を含む。ジャッキが、少なくとも横方向に最も外側の長い支持手段の高さを調節可能に位置付け、それによって、これらを横方向に最も外側の長い支持手段の間の、横方向の中央に配置された長い支持手段より高い位置に位置付けることができる。コンベヤは、下側のコンベヤアセンブリベッドを含み、これは搬送方向に沿って相互に離間されたコンベヤアセンブリを有し、また搬送方向に対して横方向に相互に離間された、横方向に離間されたコンベヤアセンブリを含み、各コンベヤアセンブリは、それを関連する長い支持手段に取り付けて、その連続的駆動部材によってそれを回転駆動するための着脱式の駆動連結部を含む。コンベヤの横方向の中央の位置にある複数のコンベヤアセンブリは、搬送方向に沿って相互に離間され、各々が、丸い円柱形の外面を有し、その丸い外面の直径の少なくとも２倍の、横方向に延びる軸長を有して、予成形されたガラスシートを、その形状を保持しながら搬送しやすくする、水平方向に延びる長いローラを含む。複数のコンベヤアセンブリが、水平に延びる長いローラを有するコンベヤアセンブリの横方向に外側に、かつその両側に配置されており、予成形されたガラスシートの上方向に成形された部分を水平ローラより上で支持し、搬送する。曲げ加工ステーションの下側プレスリングは、下側コンベヤアセンブリベッドの中で、予成形されたガラスシートより下の下側位置を有し、上方に移動して、予成形されたガラスシートを上昇させることができ、曲げ加工ステーションは上側型を有し、そこへ予成形されたガラスシートが下側プレスリングによって移動され、ガラスシートのプレス曲げ加工において上側型と協働する。
上側型は、真空に引く真空源を具え、下側プレスリングの曲げと下側への移動の後に上側型上で曲げ加工したガラスシートを支持するための真空を供給する真空源を具え、シャトルが、上側型から曲げ加工したガラスシートを受けて、曲げステーションからガラスシートを送達する。
【手続補正２】
【補正対象書類名】特許請求の範囲
【補正対象項目名】全文
【補正方法】変更
【補正の内容】
【特許請求の範囲】
【請求項１】
炉の外側に位置し、
予成形により上向きに凹んだ加熱ガラスシートを搬送方向に沿って曲げ加工ステーション内をプレス曲げ加工ステーション内を搬送するためのコンベヤと、
前記搬送方向に沿って延び、相互に横方向に離間される複数の長い支持手段であって、前記複数の長い支持手段少なくともいくつかが各々、連続的駆動部材と、少なくとも横方向に最も外側の前記長い支持手段の高さを調節可能に位置付け、それによって、横方向に最も外側の前記長い支持手段間の、横方向の中央に配置された前記長い支持手段より高い位置に調整可能に位置付けることができるジャッキを有する前記コンベヤの横方向中央の各横方向外側位置にある複数の長い支持手段と、
を備えるガラスシートプレス曲げ加工ステーションにおいて、
前記コンベヤが、前記搬送方向に沿って相互に離間されたコンベヤアセンブリを有し、前記搬送方向に対して横方向に相互に離間された、横方向に離間されたコンベヤアセンブリを有する下側のコンベヤアセンブリベッドを含み、各コンベヤアセンブリが、それを関連する長い支持手段に取り付けて、その前記連続的駆動部材によってそれを回転駆動するための着脱式の駆動連結部を含み、
前記コンベヤの横方向の中央の位置にある複数の前記コンベヤアセンブリが、前記搬送方向に沿って相互に離間され、各々が、丸い円柱形の外面を有し、その丸い外面の直径の少なくとも２倍の、横方向に延びる軸長を有して、前記予成形されたガラスシートを、その形状を保持しながら搬送しやすくする、水平方向に延びる長いローラを含み、
複数の前記コンベヤアセンブリが、水平に延びる長いローラを有する前記コンベヤアセンブリの横方向に外側に、かつその両側に配置されて、前記予成形されたガラスシートの上方向に成形された部分を前記水平ローラより上で支持し、搬送し、
前記下側コンベヤアセンブリベッドの中で、前記予成形されたガラスシートより下にあり、上方に移動可能で前記予成形されたガラスシートを上昇させる下側プレスリングと、
上側型であって、そこに前記予成形されたガラスシートが前記下側プレスリングによって移動され、前記ガラスシートのプレス曲げ加工においてそれと協働し、前記下側プレスリングの曲げと下側の移動の後に、前記上側型上で前記曲げ加工したガラスシートを支持するための真空を供給する真空源を具える上側型と、
前記上側型から前記曲げ加工したガラスシートを受けて、前記曲げ加工ステーションから当該ガラスシートを送達するシャトルと、
を備えることを特徴とするガラスシートプレス曲げ加工ステーション。
【請求項２】
請求項１に記載のガラスシートプレス曲げ加工ステーションにおいて、
水平に延びる長いローラの各々が前記コンベヤの前記横方向の中央に配置されることを特徴とするガラスシートプレス曲げ加工ステーション。
【請求項３】
請求項１に記載のガラスシートプレス曲げ加工ステーションにおいて、
前記搬送方向に沿った離間された各位置に１対のコンベヤアセンブリ群を有し、各コンベヤアセンブリ群が水平に延びる前記長いローラが、前記コンベヤの軸方向に両側で相互に軸方向に整列した水平に延びる長いローラを有することを特徴とするガラスシートプレス曲げ加工ステーション。
【請求項４】
請求項１に記載のガラスシートプレス曲げ加工ステーションにおいて、
水平に延びる前記長いローラの横方向に外側に、かつその両側に配置され、ホイールを有し、その各々が丸い外面と、その直径より小さい軸長を有し、各ホイールの前記丸い外面がその軸長に沿って湾曲した形状を有し、搬送された前記ガラスシートの、上方向に成形された部分を前記水平ローラより上の上昇位置で支持し、搬送するための複数のコンベヤアセンブリを含むことを特徴とするガラスシートプレス曲げ加工ステーション。
【請求項５】
請求項１に記載のガラスシートプレス曲げ加工ステーションにおいて、
水平に延びる前記長いローラの横方向に外側に、かつその両側に配置され、前記コンベヤの横方向の中央に向かって下方に傾斜した傾斜ローラを含み、各傾斜ローラがその直径より大きい軸長を有する丸い円柱形の外面を有し、搬送された前記ガラスシートの、上方向に成形された部分を前記水平ローラより上の上昇位置で支持し、搬送するための複数のコンベヤアセンブリをさらに含むことを特徴とするガラスシートプレス曲げ加工ステーション。
【請求項６】
請求項５に記載のガラスシートプレス曲げ加工ステーションにおいて、
前記傾斜ローラを有する前記コンベヤアセンブリが、各々、関連するローラを支持し、回転駆動させる軸受／駆動連結器を有することを特徴とするガラスシートプレス曲げ加工ステーション。
【請求項７】
請求項１に記載のガラスシートプレス曲げ加工ステーションにおいて、
水平に延びる前記長いローラの横方向に外側に、かつその両側に配置され、ホイールを有し、その各々が丸い外面と、その直径より小さい軸長を有し、各ホイールの前記丸い外面がその軸長に沿って湾曲した形状を有し、搬送された前記ガラスシートの、上方向に成形された部分を前記水平ローラより上の上昇位置で支持し、搬送するための複数のコンベヤアセンブリと、
水平に延びる前記長いローラの横方向に外側に、かつその両側に配置され、前記コンベヤの横方向の中央に向かって下方に傾斜した傾斜ローラを含み、各傾斜ローラがその直径より大きい軸長を有する丸い円柱形の外面を有し、搬送された前記ガラスシートの、上方向に成形された部分を前記水平ローラより上の上昇位置で支持し、搬送するための複数のコンベヤアセンブリと、
を含むことを特徴とするガラスシートプレス曲げ加工ステーション。
【請求項８】
請求項１に記載のガラスシートプレス曲げ加工ステーションにおいて、
各長いローラが、相互に反対の軸端を有し、芳香族ポリアミドポリマにより作製された丸いスリーブと、前記丸いスリーブの一方の端を１つの長い支持手段に回転可能に支持する軸受と、前記丸いスリーブの他方の軸端を前記１つの長い支持手段から横方向に離間され、前記スリーブを回転駆動するための連続的駆動部材の１つを有する他の長い支持手段に回転可能に支持する軸受／連結器と、を含むことを特徴とするガラスシートプレス曲げ加工ステーション。